(57)【要約】  【課題】着座者の頭部がハンガーに掛けた衣服に触れてしまうことを有効に回避し得る椅子を提供する。  【解決手段】本実施形態に係る椅子Ｃは、椅子本体１にヘッドレスト８を前後傾動可能に設けた椅子Ｃにおいて、ヘッドレスト８の後方に配された椅子本体１に対して前後傾動可能なハンガー２と、ヘッドレスト８の背面にハンガー２が一定以上近接するのを防ぐ接近防止手段Ｘとを具備してなることを特徴とする。この接近防止手段Ｘによって、着座者が頭を後傾させても、ヘッドレスト８にハンガー２が一定以上近接することが無く、結果として着座者の頭や髪の毛がハンガー２に掛けた衣服に触れることを有効に回避することができる。  【選択図】図３
2009291327.tif 000002
【特許請求の範囲】
【請求項１】
椅子本体にヘッドレストを前後傾動可能に設けた椅子において、前記ヘッドレストの後方に配された椅子本体に対して前後傾動可能なハンガーと、前記ヘッドレストの背面に前記ハンガーが一定以上近接するのを防ぐ接近防止手段とを具備してなることを特徴とする椅子。
【請求項２】
前記接近防止手段が、前記ヘッドレストと前記ハンガーとの距離を常に一定に保持するものである請求項１記載の椅子。
【請求項３】
前記ヘッドレストと前記ハンガーとを一体に設けたものである請求項２記載の椅子。
【請求項４】
前記接近防止手段が、前記ヘッドレストに前記ハンガーの基端部を相対移動不能に装着するようにしたものである請求項２記載の椅子。
【請求項５】
前記ヘッドレストが、椅子本体に取り付けられる取付部と、この取付部に枢着された水平軸周りに回転可能な回転部材と、この回転部材に支持させたヘッドレスト本体とを備え、
前記接近防止手段が、前記ヘッドレストの前後傾動に伴って回転する回転部材に、前記ハンガーの基端部を相対移動不能に装着するようにしたものである請求項４記載の椅子。
【請求項６】
前記接近防止手段が、前記ヘッドレストに対して前記ハンガーの基端部を相対移動可能に装着するようにし、
前記接近防止手段が、前記ヘッドレスト及び前記ハンガーの何れか一方又は両方から突出し、前記ハンガー及び前記ヘッドレストが一定距離にまで近接する際に互いに当接する当接部を有するものである請求項１記載の椅子。
【発明の詳細な説明】
【技術分野】
【０００１】
本発明は、ヘッドレストを具備する椅子に関するものである。
【背景技術】
【０００２】
従来、着座者の上着などを掛けておくためにハンガーを背凭れに取り付けた椅子が提案されている（例えば、特許文献１参照）。このように、同文献に記載のものは、着座者が着席する際に別の場所へ移動することなく上着などを掛けることができるものとなっている。
【０００３】
他方、従来、背の上端部にヘッドレストを設けた椅子は多く提案されており、斯かるヘッドレストは、固定の態様の他、着座者の頭部の位置に合わせるために前後傾動可能に設けられたものも提案されている（例えば、特許文献２参照）。
【特許文献１】特開２００８−４９０８１号公報
【特許文献２】特開２００１―３１４２６８号公報
【発明の開示】
【発明が解決しようとする課題】
【０００４】
そして、上着などの衣服をハンガーに掛ける場合、衣服の下端が床面に触れないよう、ハンガーは椅子におけるなるべく高い位置に設けることが望ましいため、その多くは背の後方上部に設けられたものとなっている。すなわち、ハンガーを取り付けるに最も相応しい位置とは、背の上端、すなわち、ヘッドレストの位置そのもの、或いは近接した位置であるということが云える。
【０００５】
しかしながら、上述した特許文献２のように、ヘッドレストが前後傾動するようなものにハンガーを取り付ける場合、着座者の動作によって、ヘッドレストを動作後端まで後傾させた場合には、着座者の頭部がハンガーに当たってしまい、着座者に違和感を覚えさせるものとなるか、衣服が汚れてしまうといったことが起こり得る。また、ヘッドレストの動作範囲よりも離れた位置にハンガーを設けたものであると、椅子自体の占有面積を大きくしてしまうこととなり、オフィス内での椅子の移動にも支障を来してしまうものとなる。
【０００６】
本発明は、このような不具合に着目したものであり、着座者の頭部がハンガーに掛けた衣服に触れてしまうことを有効に回避し得る椅子を提供する。
【課題を解決するための手段】
【０００７】
本発明は、このような目的を達成するために、次のような手段を講じたものである。すなわち、本発明に係る椅子は、椅子本体にヘッドレストを前後傾動可能に設けた椅子において、前記ヘッドレストの後方に配された椅子本体に対して前後傾動可能なハンガーと、前記ヘッドレストの背面に前記ハンガーが一定以上近接するのを防ぐ接近防止手段とを具備してなることを特徴とする。
【０００８】
ここで、「ヘッドレストの背面にハンガーが一定以上近接するのを防止する」という概念には、ヘッドレストとハンガーが上記同期して動作して近接を防止する態様のみならず、原則としてヘドレストとハンガーは相互に独立して動作可能であり、一定以上近接しようとした場合にだけ、ハンガーを退避させる態様も含まれる。
【０００９】
このようなものであれば、着座者が頭を後傾させても、ヘッドレストにハンガーが一定以上近接することが無く、結果として着座者の頭がハンガーに掛けた衣服に触れることを有効に回避することができるので、着座者がハンガーに掛けた衣服を気にすることなくヘッドレストを動作させることができる。また、着座者の頭が衣服に付着してしまうと不具合を有効に解消し得るものとなる。
【００１０】
また、格別の機構を採用することなく接近防止手段を実現するためには、当該接近防止手段を、ヘッドレストとハンガーとの距離を常に一定に保持するものとすれば望ましい。そしてその具体的な態様として、ヘッドレストとハンガーとを一体に設けたものを挙げることができる。
【００１１】
そして接近防止手段が、ヘッドレストにハンガーの基端部を相対移動不能に装着するようにしたものとすれば、ハンガーを使用しない場合には取り外し、必要な時だけ取り付けるようにすることができる。そして回転可能に動作するヘッドレストにハンガーを好適に装着するための具体的な構成としては、ヘッドレストを、椅子本体に取り付けられる取付部と、この取付部に枢着された水平軸周りに回転可能な回転部材と、この回転部材に支持させたヘッドレスト本体とを備えたものとし、接近防止手段が、ヘッドレストの前後傾動に伴って回転する回転部材に、ハンガーの基端部を相対移動不能に装着するようにしたものを挙げることができる。
【００１２】
他方、着座者の頭部が衣服に接しないものとしつつ、ハンガーに掛けた衣服がヘッドレストの動作によって揺れ動くといったことを有効に少なくするためには、接近防止手段を、ヘッドレストに対してハンガーの基端部を相対移動可能に装着するようにたものとし、接近防止手段を、ヘッドレスト及びハンガーの何れか一方又は両方から突出し、ハンガー及びヘッドレストが一定距離にまで近接する際に互いに当接する当接部を有するものとすることが望ましい。
【発明の効果】
【００１３】
本発明によれば、ヘッドレストにハンガーが一定以上近接することが無く、結果として着座者の頭がハンガーに掛けた衣服に触れることを有効に回避することができる。そうすることにより、着座者がハンガーに掛けた衣服を気にすることなくヘッドレストを動作させることができるとともに、着座者の頭が衣服に付着してしまうと不具合を有効に解消し得るものとなる。
【発明を実施するための最良の形態】
【００１４】
以下、本発明の第１実施形態について図面を参照して説明する。
【００１５】
本発明の第１実施形態に係る椅子Ｃは、椅子本体１にヘッドレスト８を設けたものである。
【００１６】
椅子本体１は、図１に示すように、脚体３上に基体４を支持させ、その基体４上に座５を設けるとともに、基体４に背フレーム６を前後傾動可能に枢着し、その背フレーム６に背凭れ７を支持させたものである。
【００１７】
背フレーム６は、図１に示すように、基端を基体４に枢着した対をなす縦フレーム部６１と、それら両縦フレーム部６１の上端部間に架設した横フレーム部６２とを備えたものである。
【００１８】
背凭れ７は、図１に示すように、背フレーム６に対応させて門型に形成した枠部と、その枠部間に設けた張り地とを備えたものである。背凭れ７の下端部は、縦フレーム部６１の前面に上下方向にスライド可能に支持されているとともに、上端部は図示しない止着具を介して縦フレーム部６１の前面に着脱可能に止着されている。
【００１９】
そしてヘッドレスト８は、図２及び図３に示すように、椅子本体１に着脱可能に取り付けられる取付部８２と、この取付部８２に支持されたヘッドレスト本体８１とを備えてなる。取付部８２は、対をなす板状の挿入部８２１と、これら両挿入部８２１に回動可能に支持された回転部材たる軸部８２２とを備えてなり、軸部８２２の回転によりヘッドレスト８の前後方向の傾動位置を調整することができるようになっている。挿入部８２１は、止着具挿通孔８２１ａを有した薄板状のもので、止着具を止着具挿通孔８２１ａに挿通させた状態で、縦フレーム部６１と背凭れ７との間に挟着され得るようになっている。
【００２０】
このような椅子Ｃにおいて、本実施形態ではヘッドレスト８の後方に、ハンガー２を配している。
【００２１】
ここで、本実施形態に係る椅子Ｃは、椅子本体１にヘッドレスト８を前後傾動可能に設けた椅子Ｃにおいて、ヘッドレスト８の後方に配された椅子本体１に対して前後傾動可能なハンガー２と、ヘッドレスト８の背面にハンガー２が一定以上近接するのを防ぐ接近防止手段Ｘとを具備してなることを特徴とする。
【００２２】
ハンガー２は、図２、図３（ａ）及び図３（ｂ）に示すように、衣類を掛けることができるハンガー本体２１と、このハンガー本体２１を支持するためのハンガー脚２２と、このハンガー脚２２をヘッドレスト８の軸部８２２から立ち上がる基端部２４とを具備してなる。そしてこのように、ヘッドレスト８とハンガー２とを一体に設けることによって、このハンガー２と、ヘッドレスト８とが一定の距離を保持しながら前後傾動し得るようになっている。
【００２３】
このように、ヘッドレスト８とハンガー２とを一体に設けることによって本発明に係る接近防止手段Ｘを構成しているので、図３（ａ）及び図３（ｂ）に示すように、着座者の動作に応じてヘッドレスト８が軸部８２２を中心に回動する場合においても、常に一定以上近接することなく、一定の距離を保ち得るものとなっている。
【００２４】
以上のように、本実施形態に係る椅子Ｃは、接近防止手段Ｘによって、着座者が頭を後傾させても、ヘッドレスト８にハンガー２が一定以上近接することが無く、結果として着座者の頭や髪の毛がハンガー２に掛けた衣服に触れることを有効に回避することができるので、着座者がハンガー２に掛けた衣服を気にすることなくヘッドレスト８を動作させることができる。また、着座者の頭や髪の毛が衣服に付着してしまうと不具合を有効に解消し得るものとなっている。
【００２５】
また、格別の機構を採用することなく接近防止手段Ｘを実現するために本実施形態では、接近防止手段Ｘを、ヘッドレスト８とハンガー２との距離を常に一定に保持する態様を採用し、具体的には、ヘッドレスト８とハンガー２とを一体に設けることによって、格別の機構・部品等を追加することなく上記効果を獲得し得たものとなっている。
【００２６】
＜変形例１＞
続いて、本実施形態の変形例１について説明する。以下の各変形例において、本実施形態と同様の構成要素に対しては同じ符合を付し、その詳細な説明を省略するものとする。
【００２７】
本変形例は、接近防止手段Ｘが、ヘッドレスト８にハンガー２を相対移動不能に装着するようにしたものである。
【００２８】
ハンガー２は、本変形例では図４に示すように、衣類を掛けることができるハンガー本体２１と、このハンガー本体２１を支持するためのハンガー脚２２と、このハンガー脚２２をヘッドレスト８の軸部８２２に取り付けるための取付部２３とを具備してなる。他方、ヘッドレスト８においては、ヘッドレスト本体８１及び軸部８２２の中央には、上述したハンガーの取付部２３を挿入可能な取付部挿入穴８２２ａを設けている。そして、この取付部２３を回転部材であるヘッドレスト８の軸部８２２に設けた取付部挿入穴８２２ａに着脱可能に装着することによって、このハンガー２と、ヘッドレスト８とが一定の距離を保ちながら前後傾動し得るようになっている。
【００２９】
斯かる構成によれば、ハンガー２を使用しない場合にはハンガー２を取り外しておいたり、着座者の体格や衣服に応じたサイズ・形状の図示しない別のハンガー２を取り付けたりする態様とすることも可能となる。
【００３０】
＜変形例２＞
続いて本変形例では、図５に示すように、ハンガー２に幅調節部材２５を設けたものである。具体的に説明すると、この幅調節部材２５は、ハンガー本体２１の両端にそれぞれ取り付けるものであり、ハンガー本体２１の長手方向に沿って適宜移動させることによって、掛けようとする衣服の幅寸法に適応させることができるものである。
【００３１】
このようなものであれば、幅寸法の異なる種々の衣服に好適に対応させることによって、掛けた衣服を型くずれさせることなく良好な状態で掛けておくことができる。
【００３２】
＜第２実施形態＞
続いて、本発明の第２実施形態について説明する。同実施形態においては上記実施形態と同様の構成要素については同じ符合を付して詳細な説明を省略するとともに、同実施形態特有の構成については符号に「Ａ」を付して示すものとする。
【００３３】
本実施形態に係る椅子Ｃは、図６及び図７に示すように、椅子本体１の横フレーム部６２を取り外し、その代わりにヘッドレストＡ８の軸部Ａ８２２を取り付ける構成としたものである。そして、斯かる軸部Ａ８２２にハンガーＡ２を着脱可能且つ回動可能に装着している。
【００３４】
具体的に説明すると、図６及び図７に示すように、まず背フレーム６において、縦フレーム部６１は、横フレーム部６２に対して係合し得る係合突起を有している。そしてこの係合突起は、取付の際にねじｂを挿通させるためのねじ挿通孔６１１ｘを有している。そして横フレーム部６２は、係合突起を挿入し得る凹部と、縦フレーム部６１に取り付けた状態で縦フレーム部６１のねじ挿通孔６１１ｘに連通し得る図示しない雌ねじ孔を有している。
【００３５】
ヘッドレストＡ８は、図６及び図７に示すように、椅子本体１に着脱可能に取り付けられる取付部Ａ８２と、この取付部Ａ８２に支持されたヘッドレスト本体Ａ８１とを備えてなる。ヘッドレスト本体Ａ８１は、後側の２箇所において後方に突出する当接部Ａ８３を有するものとなっているが、斯かる当接部Ａ８３については詳述する。取付部Ａ８２は、横フレーム部６２と略同形状の軸部Ａ８２２と、軸部Ａ８２２の中央に回動可能に支持された回転部材Ａ８２３とを備えてなり、回転部材Ａ８２３の回転によりヘッドレストＡ８の前後方向の傾動位置を調整することができるようになっている。そして取付部Ａ８２の両端は横フレーム部６２と同じ構成、すなわち凹部Ａ８２ｘと図示しない雌ねじ孔とをさらに具備したものとなっており、縦フレーム部６１への取り付けは横フレーム部６２のそれと同様に、２本のねじｂを雌ねじ孔に締結することによって行うものとしている。
【００３６】
またハンガーＡ２は、衣類を掛けることができるハンガー本体２１と、このハンガー本体２１を支持するためのハンガー脚２２と、このハンガー脚２２をヘッドレストＡ８の軸部Ａ８２２の２箇所に外嵌することによって取り付けるための枢着部たる取付部Ａ８２とを具備してなる。そして取付部Ａ８２は軸部Ａ８２２に取り付けた状態で、当該軸部Ａ８２２に対して回動可能に構成してある。
【００３７】
しかして本実施形態に係る椅子Ｃは、図７、図８（ａ）及び図８（ｂ）に示すように、ヘッドレスト本体Ａ８１が、後側の２箇所において後方に突出する当接部Ａ８３を有するものとなっている。すなわち、接近防止手段Ｘを、ヘッドレストＡ８が一定距離にまでハンガーＡ２に近接する際に当接する当接部Ａ８３を設けることによって構成している。
【００３８】
そしてこの当接部Ａ８３によって、図８（ａ）及び図８（ｂ）に示すように、着座者の動作に合わせてヘッドレストＡ８が後傾した場合には当接部Ａ８３がハンガー本体２１に適宜当接するため、ハンガーＡ２とヘッドレストＡ８が一定距離以上近接することが有効に回避されることとなる。
【００３９】
このようにすることで、本実施形態に着座者の頭部が衣服に接しないものとしつつ、ハンガーＡ２に掛けた衣服がヘッドレストＡ８の動作によって揺れ動くということを有効に少なくし得るものとなっている。
【００４０】
以上、本発明の実施形態について説明したが、各部の具体的な構成は、上述した実施形態のみに限定されるものではなく、本発明の趣旨を逸脱しない範囲で種々変形が可能である。
【００４１】
例えばヘッドレストに椅子に対する取り付け位置は上記各実施形態に限定されることはなく、既存の種々の構成を適用することができる。また、ハンガーが当接部を介してヘッドレストに当接した際の動作を、部材の弾性変形を利用したものとしてもよい。
【００４２】
その他、各部の具体的構成についても上記実施形態に限られるものではなく、本発明の趣旨を逸脱しない範囲で種々変形が可能である。
【図面の簡単な説明】
【００４３】
【図１】本発明の第１実施形態に係る椅子を示す外観図。
【図２】同実施形態に係る接近防止手段を示す説明図。
【図３】同接近防止手段の動作説明図。
【図４】同実施形態の変形例１に斯かる接近防止手段を示す説明図。
【図５】同変形例２に係る幅調節部材２５を示す説明図。
【図６】本発明の第２実施形態に係る接近防止手段を示す外観図。
【図７】同接近防止手段を示す説明図。
【図８】同接近防止手段を示す動作説明図。
【符号の説明】
【００４４】
１…椅子本体
Ｃ…椅子
２、Ａ２…ハンガー
８…ヘッドレスト
８１、Ａ８１…ヘッドレスト本体
８２、Ａ８２…取付部
８２２…回転部材（軸部）
Ａ８２３…回転部材
Ａ８３…当接部
Ｘ…接近防止手段
【図１】
2009291327.tif 000003
【図２】
2009291327.tif 000004
【図３】
2009291327.tif 000005
【図４】
2009291327.tif 000006
【図５】
2009291327.tif 000007
【図６】
2009291327.tif 000008
【図７】
2009291327.tif 000009
【図８】
2009291327.tif 000010